(57)【要約】　　　（修正有）【課題】迅速かつ容易にロープを取り出し、使用し、収納することができ、且つ、人体、着衣或いはその付属物（特に腰や腰ベルトなど）に着脱が容易で自在に装着することのできる、構造簡易なロープ収納バッグを提供する。【解決手段】人体、着衣或いはその付属物への着脱自在な係止部３と開閉自在な開口部を有する袋体１に、長尺ロープ２を収容してなるロープ収納バッグであって、前記袋体に前記長尺ロープの一端を挿通しうる穴部５を設けて、長尺ロープの一端を袋体内部から穴部に挿通し袋体内外において結縄又はそれを解くことにより袋体に着脱自在とするよう構成したこと、を特徴とする前記ロープ収納バッグである。【選択図】　図２
0003099524.tif 000002
【実用新案登録請求の範囲】
【請求項１】
人体、着衣或いはその付属物への着脱自在な係止部と開閉自在な開口部を有する袋体に、長尺ロープを収容してなるロープ収納バッグであって、前記袋体に前記長尺ロープの一端を挿通しうる穴部を設けて、長尺ロープの一端を袋体内部から穴部に挿通し袋体内外において結縄又はそれを解くことにより袋体に着脱自在とするよう構成したこと、を特徴とする前記ロープ収納バッグ。
【請求項２】
ズボンベルトへの着脱自在な係止部を側面に設け且つ開閉自在な開口部を上部に設けた袋体に、長尺ロープを収容してなるロープ収納バッグであって、
前記袋体の底部に前記長尺ロープの一端を挿通しうる穴部を設けて、長尺ロープの一端を袋体内部から穴部に挿通し袋体内外において結縄又はそれを解くことにより袋体に着脱自在とするよう構成したこと、を特徴とする前記ロープ収納バッグ。
【考案の詳細な説明】
【０００１】
【考案の属する技術分野】
本考案は、山岳遭難などの際にロープの緊急使用に便利で簡易なロープ収納バッグに関する。
【０００２】
【従来の技術】
近年、登山が中高年層にブームとなっており、それにつれて山岳遭難事故も増加の一途をたどっている。
中高年山岳遭難事故の多くは５〜６メートルの岩場や急傾斜地などの危険区間で発生しているが、このような危険区間は登山コース中に数多く存在するので、登山リーダーが５〜６メートルといった短い区間で使用するために長いロープをリュックサックから取り出して解いたり、ロープ使用後にリュックサックに収納する面倒や、ロープ取り出し、収納などによる時間のロスを避けるため、ロープを所持しているにもかかわらず、ロープを使用せずに転落等の事故が発生しているという例が多い。
ロープなどを収納して携行するリュックサックは一般に、背中に背負う袋体からなる構造である。
【０００３】
【考案が解決しようとする課題】
本考案は、迅速かつ容易にロープを取り出し、使用し、収納することができ、且つ、人体、着衣或いはその付属物（特に腰や腰ベルトなど）に着脱が容易で自在に装着することのできる、構造簡易なロープ収納バッグを提供することを目的とする。
【０００４】
【課題を解決するための手段】
前記目的を達成するため、本考案は、人体、着衣或いはその付属物への着脱自在な係止部と開閉自在な開口部を有する袋体に、長尺ロープを収容してなるロープ収納バッグであって、前記袋体に前記長尺ロープの一端を挿通しうる穴部を設けて、長尺ロープの一端を袋体内部から穴部に挿通し袋体内外において結縄又はそれを解くことにより袋体に着脱自在とするよう構成したこと、を特徴とする前記ロープ収納バッグである。
【０００５】
また本考案は、ズボンベルトへの着脱自在な係止部を側面に設け且つ開閉自在な開口部を上部に設けた袋体に、長尺ロープを収容してなるロープ収納バッグであって、前記袋体の底部に前記長尺ロープの一端を挿通しうる穴部を設けて、長尺ロープの一端を袋体内部から穴部に挿通し袋体内外において結縄又はそれを解くことにより袋体に着脱自在とするよう構成したこと、を特徴とする前記ロープ収納バッグである。
【０００６】
【考案の実施の形態】
以下、本考案の実施の形態を図面に基づいて説明する。
図１及び２は、本考案のロープ収納バッグの一実施例を示すものであって、図１は開口部に近い側から見た外観斜視図であり、図２は底部に近い側から見た外観斜視図である。
【０００７】
図１及び２に示す本考案のロープ収納バッグは、係止部３を側面に設け、開口部７を上部に設け、かつ、穴部５を底部に設けた袋体１に、長尺ロープ２を収容してなる基本構成である。
【０００８】
袋体１は、例えば約１５メートルのロープ２を内部に収容できる大きさの袋状であり、強度の高い耐水性の合成繊維布製のものが好ましい。
【０００９】
係止部３は、ズボンベルトを環内に着脱する機構を一部位に備えた環状体８からなる。この環状体８の環内は、ズボンのベルトを収容することができる程度の大きさ（スペース）である。環状体８の他の一部位は、袋体１の外側面に固定布１３により（固定）保持されている。ズボンベルトの環状体内への着脱機構は、環状体８の一部区間に設けられて連続環を形成する、バネ機構により環内のみへ屈曲自在のバー１１と、バー１１の外周に外装してネジ機構により一定区間摺動する回転環１２とからなる。回転環１２は、バー１１の端を環状体８の端に固定するための、これらの両端を収容しうる環状である。
【００１０】
係止部３をズボンベルトに取り付けるには、まず、回転環１２をネジ回してバー上をバー１１の中央付近に回転摺動させる。回転環１２によりバー１１の離脱端と環状体８の端とが連結されていた状態が、回転環１２のバー中央付近への移動により解除される。バー１１はその離脱端から環状体８の環内側にのみ折れ曲がるので、内側に折れ曲がったバー１１と環状体８の端との間に生じる隙間から、ズボンベルトを環状体８の環内に入れる。バー１１はバネ機構により自動的に元どおりに環状体８の端に接する状態となるので、回転環１２をネジ回ししてバー上を回転摺動させ、バー１１の離脱端と環状体８の端との連結部位に回転環１２を移動させると、バー１１は環状体８と連続環を形成するように固定され、ズボンベルトが環内から離脱できなくなる。
以上の操作によって、ロープ収納バッグをズボンのベルトに簡単に装着することができる。
ロープ収納バッグのズボンベルトからの取り外しは、前記操作手順を逆に行うことによって迅速かつ簡単に行うことができる。
【００１１】
係止部３は、袋体１に取り付けたウエストベルトであってもよい。ウエストベルトは、ロープ収納バッグを腰まわりに装着するためのベルトであり、その長さを調節しながら腰まわりに装着し締めることができるように、ベルト長さ調節機構付きの止め金具、ホック、マジックテープ（登録商標）などの留具を備えている。
【００１２】
開口部４は、使用時にロープ２をできるだけ素早く取り出すことができるように、大きく開く構造である。また、図１、２に示す開口部４は、素早く開閉することができるように、開口部周囲に紐９を内包させ、紐９を引っ張って口を閉じ、止め具１０で紐９を固定する構造であるが、ファスナーなどであってもよい。
【００１３】
穴部５は、ロープ２の一端を穴に通して穴の外で結んで使用するためのものであるので、ロープ２の太さよりわずかに大きい径であって、たびたびの使用に耐えるように、穴の周囲がプラスチックや金具などで補強された鳩目構造であることが好ましい。穴部５は袋体１の側面部などに設けてもよいが、ロープ２を収納しやすく、使用の際にロープ２が絡まないように、袋体１の底部７に設けるのが好ましい。
【００１４】
次に、本考案のロープ収納バッグの山の遭難現場における使用方法について、図３を参照して説明する。
まず、腰のズボンベルトに取り付けてあるロープ収納バッグを（係止部３を解除して）ズボンベルトから取り外し、止め具１０と紐９を緩めて最大限まで開口部４を開く。次いで、ロープ２を袋体１から取り出し、袋体１の底部７の穴部５のすぐ外側でロープ２の一端が結ばれたロープ収納バッグを、ロープ２の他端を手に持ったまま（山の）下方に投げ落とす（図３の左図参照）。
手に持っているロープ２の端を樹木などに固く結び付けたのち、遭難者にロープ２を伝って上に登らせる（図３の右図参照）。
遭難者は、上に昇りきったら、ロープ２を樹木からほどき、ロープ２をたぐってバッグを取り寄せ、ロープ２をバッグ内に収容する。
再び、ロープ収納バッグをズボンベルトに取り付けて登山を続行する。
【００１５】
【考案の効果】
以上説明した通り、本考案により初めて、迅速かつ容易にロープを取り出し、使用し、収納することができ、且つ、人体、着衣或いはその付属物（特に腰や腰ベルトなど）に着脱が容易で自在に装着することのできる、構造簡易なロープ収納バッグを提供することが可能となった。
【図面の簡単な説明】
【図１】本考案のロープ収納バッグの一実施例を示す、開口部に近い側から見た外観斜視図である。
【図２】本考案のロープ収納バッグの一実施例を示す、底部に近い側から見た外観斜視図である。
【図３】本考案のロープ収納バッグの使用方法を示す図面である。
【符号の説明】
１　袋体
２　ロープ
３　係止部
４　開口部
５　穴部
【図１】
0003099524.tif 000003
【図２】
0003099524.tif 000004
【図３】
0003099524.tif 000005